(57)【要約】【課題】偏心荷重や熱的経時変化などによるフレームの変形を抑制することができるプレス機械の補強構造を提供する。【解決手段】連結部材１２は、フレーム２，３の上側張り出し部２ｃ，３ｃを連結する板状部材である。連結部材１２は、前面板１３と連結板１４とから構成されており、スライドガイド６，７付近の左右２箇所をスライド５の前面で連結し一体化する。前面板１３は、フレーム２，３の上側張り出し部２ｃ，３ｃの前面を連結し、連結板１４は前面板１３の固定部１３ａと固定部１３ｂとを連結する。その結果、フレーム２，３の上側張り出し部２ｃ，３ｃが連結部材１２によって連結されるため、偏心荷重や熱的経時変化によるフレーム２，３の変形に対して連結部材１２が抵抗しフレーム２，３の剛性が向上する。このため、フレーム２，３の変形が小さくなりプレス加工時の精度悪化を抑えることができる。【選択図】　　　図１
2004058123.tif 000002
【特許請求の範囲】
【請求項１】
スライドを移動自在にガイドする一対のスライドガイドと、
前記一対のスライドガイドをそれぞれ固定する一対のフレームと、
を備えるＣ形フレーム構造のプレス機械の補強構造であって、
前記一対のフレームの上側張り出し部を連結する連結部材を備えること、
を特徴とするプレス機械の補強構造。
【請求項２】
スライドを移動自在にガイドする一対のスライドガイドと、
前記一対のスライドガイドをそれぞれ固定する一対のフレームと、
を備えるＣ形フレーム構造のプレス機械の補強構造であって、
前記一対のスライドガイドの前面部を連結する連結部材を備えること、
を特徴とするプレス機械の補強構造。
【請求項３】
請求項１又は請求項２に記載のプレス機械の補強構造であって、
前記連結部材は、板状部材又はブラケットであること、
を特徴とするプレス機械の補強構造。
【発明の詳細な説明】
【０００１】
【発明の属する技術分野】
この発明は、Ｃ形フレーム構造のプレス機械の補強構造に関する。
【０００２】
【従来の技術】
Ｃ形フレーム構造を有するプレス機械（以下、Ｃフレームプレスという）は、型取付け部に容易に接近可能なように作業領域の前側及び両側の三方が開放されているため、作業性が良好で使いやすく安価であり、各種プレス作業に広く使用されている。このＣフレームプレスでは、加工対象物の形状、作業位置の配置、型の設置位置などによってプレス作業時に偏心荷重が発生するおそれがある。例えば、加工対象物の加工形状が非対称形状であるような場合には、この加工形状の中心とプレス機械のスライドの中心とが一致しないため、偏心荷重によるモーメントがスライドに発生しこのモーメントがこのスライドを傾斜させるように作用する。このような偏心荷重がスライドに加わるとスライドが平行度を維持できず傾斜しようとするため、スライドを移動自在にガイドするスライドガイドがスライドの傾斜を抑えて平行度を維持する。
【０００３】
Ｃフレームプレスでは、Ｃ形フレームの構成上、フレームの切欠部よりも上側のフレームの上部張り出し部にスライドが位置するため、このフレームの上部張り出し部によってスライドガイドを支持する必要がある。このため、スライドガイドの剛性は、このスライドガイドを支持するフレームの剛性に左右される。Ｃフレームプレスでは、作業領域の前後方向には剛性があるが、作業領域の左右方向ではフレームにある程度の厚さがあるがフレームの張り出し部１枚分の剛性となる。その結果、作業領域の左右方向の偏心荷重がスライドに加わるとフレームが変形して、スライドガイドがスライドの平行度を維持することができず、ガイドの能力が低下してスライドの精度が悪化する。特に、スライドとこのスライドを駆動する駆動機構部とが一点で連結された一点プレスの場合には、スライドガイドのみによってスライドの平行度が維持されるため、フレームが変形すると製品の精度が低下するおそれがある。
【０００４】
また、Ｃフレームプレスでは、メインギヤやピニオンギヤを潤滑するオイルバスがスライドガイドの直後に設置されており、プレス作業を開始すると潤滑油の温度が上昇して、この熱がフレームに伝播しフレームが熱変形するおそれがある。この場合、フレームの左右寸法が大きくなる（フレームが伸びる）ような熱変形が顕著であり、フレームが変形するとこのフレームに隣接するスライドガイドも熱変形の影響を受けるためスライドの精度が低下するおそれがある。
【０００５】
【発明が解決しようとする課題】
近年、プレス機械の高精度加工の要求が高くなっており、この要求に対応するために種々のプレス機械が提案されている。例えば、実開昭５９−６０９９号公報には、Ｃ形フレームの上部と下部とを垂直タイロッドで連結したプレス機械（従来技術１）が開示されている。特開平１１−１２９０９９号公報には、Ｃ形フレームの上部と下部とを無端環状のアーチ補強部材で連結したプレス機械（従来技術２）が開示されている。特開平１０−３４３９７号公報には、Ｃ形フレームの上部と下部とを連結する一対の垂直タイロッドと、この一対の垂直タイロッドに水平に連結された水平タイロッドとを備えるプレス機械（従来技術３）が開示されている。
【０００６】
従来技術１〜３では、プレス機械の前後方向に偏心荷重が作用したときに、Ｃ形フレームが口を開くように変形するいわゆる口開き（前開き）現象を抑えるために、Ｃ形フレームの上部と下部とを垂直タイロッドによって連結している。その結果、垂直タイロッドによってＣ形フレームの切欠部が塞がれるため、Ｃフレームプレスの利点である三方の作業領域を確保できないという問題があった。また、従来技術３では、一対の垂直タイロッド間を水平タイロッドで連結しているが、一対のＣ形フレームを水平タイロッドによって直接連結した場合には、水平タイロッドの厚さ分だけプレス機械の前面が突出して外観を損ねるという問題があった。
【０００７】
この発明の課題は、偏心荷重や熱的経時変化などによるフレームの変形を抑制することができるプレス機械の補強構造を提供することである。
【０００８】
【課題を解決するための手段】
この発明は、以下に記載するような解決手段により、前記課題を解決する。
なお、この発明の実施形態に対応する符号を付して説明するが、この実施形態に限定するものではない。
請求項１の発明は、スライド（５）を移動自在にガイドする一対のスライドガイド（６，７）と、前記一対のスライドガイドをそれぞれ固定する一対のフレーム（２，３）とを備えるＣ形フレーム構造のプレス機械（１）の補強構造であって、前記一対のフレームの上側張り出し部（２ｃ，３ｃ）を連結する連結部材（１２）を備えることを特徴とするプレス機械の補強構造である。
【０００９】
請求項２の発明は、スライド（５）を移動自在にガイドする一対のスライドガイド（６，７）と、前記一対のスライドガイドをそれぞれ固定する一対のフレーム（２，３）とを備えるＣ形フレーム構造のプレス機械（１）の補強構造であって、前記一対のスライドガイドの前面部（６ａ，７ａ）を連結する連結部材（１５）を備えることを特徴とするプレス機械の補強構造である。
【００１０】
請求項３の発明は、請求項１又は請求項２に記載のプレス機械の補強構造であって、前記連結部材は、板状部材（１３，１４）又はブラケット（１５）であることを特徴とするプレス機械の補強構造である。
【００１１】
【発明の実施の形態】
（第１実施形態）
以下、図面を参照して、この発明の第１実施形態について詳しく説明する。
図１は、この発明の第１実施形態に係るプレス機械の補強構造を備えるプレス機械の正面図である。図２は、この発明の第１実施形態に係るプレス機械の補強構造を備えるプレス機械の側面図である。図３は、この発明の第１実施形態に係るプレス機械の補強構造における連結部材の外観図であり、図３（Ａ）は平面図であり、図３（Ｂ）は正面図である。
【００１２】
プレス機械１は、加工対象物をプレス加工する装置である。プレス機械１は、図２に示すように、Ｃ形フレーム構造を有するＣフレームプレスである。プレス機械１は、図１及び図２に示すように、フレーム２，３と、ボルスタ４と、スライド５と、スライドガイド６，７と、スライド調整装置８と、過負荷防止装置９と、駆動機構部１０と、オイルバス１１と、連結部材１２などを備えている。
【００１３】
フレーム２，３は、プレス動作時に発生する加圧力を受けるとともに、プレス機械１を構成する種々の装置及び機器を保持し収納する板状部材である。フレーム２，３は、図２に示すように、フレーム形状がＣ形であり、フレーム２，３には駆動機構部１０などが収容されている。フレーム２，３には、切欠部２ａ，３ａと、下側張り出し部２ｂ，３ｂと、上側張り出し部２ｃ，３ｃが形成されている。切欠部２ａ，３ａは、型取付け時の作業性を良好にするために、プレス機械１の前側及び両側を開放するように形成された部分である。下側張り出し部２ｂ，３ｂは、プレス機械１の下部の前方に突出する部分であり、切欠部２ａ，３ａの下側に形成されている。上側張り出し部２ｃ，３ｃは、プレス機械１の上部の前方に突出した部分であり、切欠部２ａ，３ａの上側に形成されている。上側張り出し部分２ｃ，３ｃの前面は、スライド５及びスライドガイド６，７の前面よりも突出している。
【００１４】
ボルスタ４は、下型を着脱自在に装着する部分であり、スライド５は上型を着脱自在に装着して上下方向に往復移動する部分である。図１に示すスライドガイド６，７は、スライド５を移動自在にガイドする部分である。図２に示すスライド調整装置８は、金型の高さにあわせてボルスタ４とスライド５との間の高さを調整する装置であり、過負荷防止装置９はスライド５を加圧する加圧機構部に過負荷が発生したときに自動的にプレス機械１側の破損を防止する装置である。
【００１５】
駆動機構部１０は、スライド５を往復駆動する部分である。駆動機構部１０は、図１及び図２に示すように、スライド５に連結されるコネクティングロッド１０ａと、このコネクティングロッド１０ａに連結され回転運動をスライド５の往復運動に変換するクランク軸１０ｂと、このクランク軸１０ｂを回転自在に支持する軸受１０ｃ，１０ｄと、クランク軸１０ｂを回転駆動させるメインギヤ１０ｅと、このメインギヤ１０ｅと噛み合うピニオンギヤ１０ｆと、このピニオンギヤ１０ｆを回転駆動させる駆動軸１０ｇと、この駆動軸１０ｇを回転自在に支持する軸受１０ｈ，１０ｉと、プレス加工に必要な回転エネルギーを蓄積するフライホイール１０ｊと、このフライホイール１０ｊを回転駆動するメインモータ（電動機）１０ｋと、このメインモータ１０ｋの回転を伝達するモータプーリ１０ｍと、フライホイール１０ｊとモータプーリ１０ｍとに巻き掛けられモータプーリ１０ｍの回転をフライホイール１０ｊに伝達するベルト１０ｎと、スライド５の往復動作を制御するとともに停止させるクラッチブレーキ１０ｐなどを備えている。オイルバス１１は、メインギヤ１０ｅ及びピニオンギヤ１０ｆなどを潤滑する潤滑油を収容する部分である。オイルバス１１は、フレーム２とフレーム３との間に設置されている。
【００１６】
連結部材１２は、フレーム２，３の上側張り出し部２ｃ，３ｃを連結する板状部材である。連結部材１２は、前面板１３と連結板１４とから構成されており、スライドガイド６，７付近の左右２箇所をスライド５の前面で連結し一体化する。前面板１３は、フレーム２，３の上側張り出し部２ｃ，３ｃの前面を連結する部材である。前面板１３には、図１に示すように、上側張り出し部２ｃ，３ｃの前面にそれぞれ溶接などにより固定される固定部１３ａ，１３ｂと、この固定部１３ａ，１３ｂを貫通する雌ねじ部１３ｃ，１３ｄと、固定部１３ａと固定部１３ｂとを連結し、上側張り出し部２ｃ，３ｃの前面にそれぞれ溶接などにより固定される連結部１３ｅと、この連結部１３ｅを貫通する軸受１０ｃを取り付ける取付部１３ｆとが形成されている。連結板１４は、固定部１３ａと固定部１３ｂとを連結する部材である。連結板１４は、図３に示すように、この連結板１４を前面板１３に固定するためのボルトを挿入する挿入孔１４ａ，１４ｂと、ダイハイト調整装置８によって調整されたダイハイトを表示するダイハイト計の表示部と対応する位置に開口部１４ｃとを備えている。連結部材１２は、フレーム２，３の加工や組立ての都合上最後に取り付けられる。
【００１７】
この発明の第１実施形態に係るプレス機械の補強構造には、以下に記載するような効果がある。
（１）　この第１実施形態では、フレーム２，３の上側張り出し部２ｃ，３ｃを連結部材１２が連結する。このため、偏心荷重や熱的経時変化によるフレーム２，３の変形に対して連結部材１２が抵抗しフレーム２，３の剛性が向上する。その結果、フレーム２，３の変形が小さくなってプレス加工時の精度の悪化を抑えることができる。
【００１８】
（２）　この第１実施形態では、連結部材１２が板状部材である。その結果、従来技術３のようにフレーム同士を厚みのある水平タイロッドで連結する場合に比べて、フレーム２，３を薄い連結部材１２で連結するため、プレス機械１の前面の突出量が小さくなり外観の美観を損ねることがない。また、この第１実施形態では、スライドガイド６，７の近傍でフレーム２，３の上部張り出し部２ｃ，３ｃが連結部材１２に連結されている。このため、従来技術３に比べてフレーム２，３の剛性をより一層向上させることができる。
【００１９】
（第２実施形態）
図４は、この発明の第２実施形態に係るプレス機械の補強構造における連結部材の平面図である。なお、図１〜図３に示す部材と同一の部材については、同一の番号を付して詳細な説明を省略する。
スライドガイド６，７は、図４に示すように、スライド５のギブライナ５ａ，５ｂを押さえるギブ押さえ板である。連結部材１５は、スライドガイド６，７の前面部６ａ，７ａを連結するブラケットである。連結部材１５は、スライド５の前面よりも張り出した湾曲部を有するＣ字形状の連結ブラケットである。この第２実施形態では、第１実施形態の効果に加えて、既存のプレス機械の構造を代えずにプレス機械１の前面から露出したスライドガイド６，７を連結部材１５によって簡単に連結することができる。また、この第２実施形態では、スライドガイド６，７を１つの連結部材１５によって連結するため、第１実施形態に比べて部品点数が減少し容易に組み立てることができる。
【００２０】
（他の実施形態）
この発明は、以上説明した実施形態に限定するものではなく、種々の変形又は変更が可能であり、これらもこの発明の範囲内である。例えば、この実施形態では、スライド５と駆動機構部１０とが一点で連結されたクランクプレスを例に挙げて説明したが、ナックルプレス、リンクプレス、摩擦プレスなどの他の形式のプレス機械や二点プレスなどについてもこの発明を適用することができる。
【００２１】
【発明の効果】
以上説明したように、この発明によると、偏心荷重や熱的経時変化などによるフレームの変形を抑制することができる。
【図面の簡単な説明】
【図１】この発明の第１実施形態に係るプレス機械の補強構造を備えるプレス機械の正面図である。
【図２】この発明の第１実施形態に係るプレス機械の補強構造を備えるプレス機械の側面図である。
【図３】この発明の第１実施形態に係るプレス機械の補強構造における連結部材の外観図であり、（Ａ）は平面図であり、（Ｂ）は正面図である。
【図４】この発明の第２実施形態に係るプレス機械の補強構造における連結部材の平面図である。
【符号の説明】
１　プレス機械
２，３　フレーム
２ａ，３ａ　切欠部
２ｂ，３ｂ　下部張り出し部
２ｃ，３ｃ　上部張り出し部
４　ボルスタ
５　スライド
６，７　スライドガイド
６ａ，７ａ　前面部
１０　駆動機構部
１２　連結部材
１３　前面板
１３ａ，１３ｂ　固定部
１３ｅ　連結部
１４　連結板
１５　連結部材
【図１】
2004058123.tif 000003
【図２】
2004058123.tif 000004
【図３】
2004058123.tif 000005
【図４】
2004058123.tif 000006